(57)【要約】      （修正有）【課題】甲部の幅に応じてベルト長さの調整を行っても、良好な装着感が損なわれず、軽快な歩行を確保できる履物を提供する。【解決手段】前側ベルト部の舌片状ベルト部１１Ａの基端部付近の上側に取り付けられる環状リングと、舌片状ベルト部１１Ｂの基端部付近の上側に長手方向に沿って取り付けられる第１の被係止面ファスナ１２と、一面側に第１の被係止面ファスナ１２と係脱可能に係合する第１の係止面ファスナ１３が長手方向に沿って設けられ、他面側であって第１の係止面ファスナ１３に対応する側に第２の係止面ファスナ１５が、その他の部分に第２の被係止面ファスナが長手方向に沿って設けられている固定補強ベルトとを備える。固定補強ベルトは、環状リングに挿通され他面側が内側となるように折り曲げて第２の係止面ファスナ１５と第２の被係止面ファスナとを係脱可能に係合し、ベルト長さ調整可能とされる。【選択図】図３
0003215008.tif 000002
【実用新案登録請求の範囲】
【請求項１】
履物本体と、前記履物本体に設けられ足の甲を固定する前側ベルト部とを備え、前記前側ベルト部は、基端部が前記履物本体に取り付けられ先端部同士が結合手段にてベルト長さ調整可能に結合される左右の舌片状ベルト部を有する履物であって、
前記左右の舌片状ベルト部の一方の基端部付近の上側に取り付けられる環状リングと、
前記左右の舌片状ベルト部の他方の基端部付近の上側に長手方向に沿って取り付けられる第１の被係止面ファスナと、
一面側に前記第１の被係止面ファスナと係脱可能に係合する第１の係止面ファスナが長手方向に沿って設けられ、他面側であって前記第１の係止面ファスナに対応する側の部分に第２の係止面ファスナが、その他の部分に第２の被係止面ファスナが長手方向に沿って設けられている固定補強ベルトとを備え、
前記固定補強ベルトは、前記環状リングに挿通され前記他面側が内側となるように折り曲げて前記第２の係止面ファスナと前記第２の被係止面ファスナとを係脱可能に係止することでベルト長さ調整可能となっていることを特徴とする履物。
【請求項２】
前記結合手段は、前記左右の舌片状ベルト部の一方の先端部の上側または下側に長手方向に沿って取り付けられる第３の係止面ファスナと、
前記左右の舌片状ベルト部の他方の先端部の下側または上側に長手方向に沿って取り付けられ前記第３の係止面ファスナと係脱可能に係合する第３の被係止面ファスナとを備え、
前記第３の係止面ファスナと前記第３の被係止面ファスナとを係脱可能に係止することでベルト長さ調整可能となっている、請求項１記載の履物。
【請求項３】
さらに、足の踵を保持する後側ベルト部を備え、前記後側ベルト部は、
前記左右の舌片状ベルト部の一方に設けられる被係合具と、
前記左右の舌片状ベルト部の他方に設けられる環状リングと、
前記被係合具と前記環状リングとの間に設けられベルト長さ調整可能である後側ベルトとを備える、請求項１または２記載の履物。
【請求項４】
前記後側ベルトは、表面側において、外端部側にそれぞれ第４の被係止面ファスナが、前記第４の被係止面ファスナと離れて中央側に第４の係止面ファスナが設けられ、
前記後側ベルトの一端部は、前記被係合具に係脱可能に係合する係合具の取付穴に挿通され、裏面側が内側にとなるように折り曲げて、前記第４の被係止面ファスナと第４の係止面ファスナとを係脱可能に係合することで、前記係合具に取り付けられる一方、他端部は、前記環状リングに挿通され、前記裏面側が内側にとなるように折り曲げて、前記第４の被係止面ファスナと前記第４の係止面ファスナとを係脱可能に係合することで、前記環状リングに取り付けられている、請求項３記載の履物。
【請求項５】
さらに、足の踵を保持する後側ベルト部を備え、前記後側ベルト部は、
前記前側ベルト部より後側に設けられる左右の立ち上がり部と、
前記各立ち上がり部に設けられ開孔を有する左右の被取付部と、
各端部が、前記被取付部の開孔に挿通され、巻き付けて前記各被取付部に取り付けられる後側ベルトとを備える、請求項１または２に記載の履物。
【請求項６】
前記後側ベルトは、表面側において、外端部側に第４の被係止面ファスナが、前記第４の被係止面ファスナと離れて中央側に第４の係止面ファスナがそれぞれ設けられ、
前記後側ベルトの各端部は、前記被取付部の開孔に挿通され裏面側が内側となるように折り曲げて前記第４の係止面ファスナと前記第４の被係止面ファスナとを係脱可能に結合することでベルト長さを調整可能としている、請求項５記載の履物。
【請求項７】
さらに、足首を保持する中間ベルト部を備え、前記中間ベルト部は、
前記左右の立ち上がり部のうち、一方の立ち上がり部の先端部分が他方の立ち上がりの部の先端部分の上側に重複するように前記一方の立ち上がり部が先端延長部を有し、
他方の立ち上がり部に設けられる被係合具と、
前記被係合具に係脱可能に係合し取付穴を有する係合具と、
前記先端延長部付近の上側に設けられる第５の係止面ファスナと、
一面側に前記第５の係止面ファスナと係脱可能に係合する第５の被係止面ファスナを、他面側であって前記第５の被係止面ファスナに対応する側の部分に第６の係止面ファスナが、その他の部分に第６の被係止面ファスナが設けられている中間ベルトとを備え、
前記係合具の取付穴に前記中間ベルトが挿通され前記他面側が内側となるように折り曲げて前記第６の係止面ファスナと前記第６の被係止面ファスナとを係脱可能に結合することでベルト長さが調整可能となっている、請求項５または６記載の履物。
【考案の詳細な説明】
【技術分野】
【０００１】
本考案は、履物に関するものである。
【背景技術】
【０００２】
従来、甲幅が広い人や甲高な人は、市販サイズの履物で足に合うものが少なく、自分の足の形状に合うフィット感のある履物を得るためにはオーダーメードしなければならなかった。また、高齢者や足に傷病のある人においても、足のむくみや、包帯を巻いたり、各種の装具を当てる必要があり、同様の問題があった。
【０００３】
また、足の傷病が一過性のものであるときは、オーダーメードの履物は完治後には不要となることが多く、他の症状等で足の形状が変わった場合には再びオーダーメードをする必要があった。
【０００４】
そこで、高齢者等でも着脱が容易であり、装着性が良好で安定性をもって軽快に歩行することができ、下肢装具などの装着や、腫れ、むくみ等により足の大きさが変わった場合にも着脱が容易で、良好な装着感を得ることができるものとして、足の甲を固定する甲部ベルトと、足を挿入する開口部と、開口部の前端を形成する開口部ベルトと、カウンター部材が埋め込まれた踵部を有するシューズ本体とを備えるサンダル型機能シューズであって、甲部ベルトは足の甲を固定するフック機能を有し、そのフック機能を解放することで甲部が全開すること、並びに、開口部ベルトは開口部の前方側の縁部を固定するフック機能を有し、そのフック機能を解放することで開口部が全開することを特徴とするサンダル型機能シューズが提案されている（例えば、特許文献１参照）。
【０００５】
そのサンダル型機能シューズでは、甲部ベルトは２本あり、つま先に近い甲部ベルトは、他方の甲部ベルトと比べて幅広であり、かつ、裏面にフック機能部材が幅をもたせて設けられており、フック機能部材の噛合位置で甲部の幅を調整できるように構成される。
【先行技術文献】
【特許文献】
【０００６】
【特許文献１】特許第５１９６９４１号公報
【考案の概要】
【考案が解決しようとする課題】
【０００７】
特許文献１記載のものは、フック機能部材の噛合位置で甲部の幅を調整できるように構成しているので、フック機能部材の噛合位置によっては、噛合部分の幅が狭くなり、良好な装着感が得られず、軽快な歩行が困難な場合がある。
【０００８】
本考案は、甲部の幅の調整を行っても、良好な装着感が損なわれず、軽快な歩行を確保できる履物を提供することを目的とする。
【課題を解決するための手段】
【０００９】
請求項１の考案は、履物本体と、前記履物本体に設けられ足の甲を固定する前側ベルト部とを備え、前記前側ベルト部は、基端部が前記履物本体に取り付けられ先端部同士が結合手段にてベルト長さ調整可能に結合される左右の舌片状ベルト部を有する履物であって、前記左右の舌片状ベルト部の一方の基端部付近の上側に取り付けられる環状リングと、前記左右の舌片状ベルト部の他方の基端部付近の上側に長手方向に沿って取り付けられる第１の被係止面ファスナと、一面側に前記第１の被係止面ファスナと係脱可能に係合する第１の係止面ファスナが長手方向に沿って設けられ、他面側であって前記第１の係止面ファスナに対応する側の部分に第２の係止面ファスナが、その他の部分に第２の被係止面ファスナが長手方向に沿って設けられている固定補強ベルトとを備え、前記固定補強ベルトは、前記環状リングに挿通され前記他面側が内側となるように折り曲げて前記第２の係止面ファスナと前記第２の被係止面ファスナとを係脱可能に係止することでベルト長さ調整可能となっていることを特徴とする。
【００１０】
このようにすれば、甲部の幅に応じてベルト長さの調整を行っても、結合手段と固定補強ベルトとによって二重に固定されるので、良好なしっかりとした装着感が損なわれず、軽快な歩行を確保できる。また、第２の係止面ファスナと第２の被係止面ファスナとを係脱可能に係止しているので、第２の係止面ファスナと第２の被係止面ファスナとの係止位置を調整することで、ベルト長さを簡単に調整することができる。
【００１１】
請求項２に記載のように、前記結合手段は、前記左右の舌片状ベルト部の一方の先端部の上側または下側に長手方向に沿って取り付けられる第３の係止面ファスナと、前記左右の舌片状ベルト部の他方の先端部の下側または上側に長手方向に沿って取り付けられ前記第３の係止面ファスナと係脱可能に係合する第３の被係止面ファスナとを備え、前記第３の係止面ファスナと前記第３の被係止面ファスナとを係脱可能に係止することでベルト長さ調整可能となっている、ことが望ましい。
【００１２】
このようにすれば、第３の係止面ファスナと第３の被係止面ファスナとの係止位置を調整することで、前側ベルト部におけるベルト長さの調整を容易に行える。
【００１３】
請求項３に記載のように、さらに、足の踵を保持する後側ベルト部を備え、前記後側ベルト部は、前記左右の舌片状ベルト部の一方に設けられる被係合具と、前記左右の舌片状ベルト部の他方に設けられる環状リングと、前記被係合具と前記環状リングとの間に設けられベルト長さ調整可能である後側ベルトとを備える、ことが望ましい。
【００１４】
このようにすれば、後側ベルトの装着を容易にして、ベルト長さの調整をすることができる。
【００１５】
請求項４に記載のように、前記後側ベルトは、表面側において、外端部側にそれぞれ第４の被係止面ファスナが、前記第４の被係止面ファスナと離れて中央側に第４の係止面ファスナが設けられ、前記後側ベルトの一端部は、前記被係合具に係脱可能に係合する係合具の取付穴に挿通され、裏面側が内側にとなるように折り曲げて、前記第４の被係止面ファスナと第４の係止面ファスナとを係脱可能に係合することで、前記係合具に取り付けられる一方、他端部は、前記環状リングに挿通され、前記裏面側が内側にとなるように折り曲げて、前記第４の被係止面ファスナと前記第４の係止面ファスナとを係脱可能に係合することで、前記環状リングに取り付けられている、ことが望ましい。
【００１６】
このようにすれば、足の踵部分に装具を装着した場合であっても、装具を取り外した場合であっても、同様なフィット感が得られる。第４の被係止面ファスナと第４の係止面ファスナとの係止位置を調整することで、ベルト長さの調整も容易である。
【００１７】
請求項５に記載のように、さらに、足の踵を保持する後側ベルト部を備え、前記後側ベルト部は、前記前側ベルト部より後側に設けられる左右の立ち上がり部と、前記各立ち上がり部に設けられ開孔を有する左右の被取付部と、各端部が、前記被取付部の開孔に挿通され、巻き付けて前記各被取付部に取り付けられる後側ベルトとを備える、ことが望ましい。
【００１８】
このようにすれば、後側ベルトの装着を容易にして、ベルト長さの調整をすることができる。
【００１９】
請求項６に記載のように、前記後側ベルトは、表面側において、外端部側に第４の被係止面ファスナが、前記第４の被係止面ファスナと離れて中央側に第４の係止面ファスナがそれぞれ設けられ、前記後側ベルトの各端部は、前記被取付部の開孔に挿通され裏面側が内側となるように折り曲げて前記第４の係止面ファスナと前記第４の被係止面ファスナとを係脱可能に結合することでベルト長さを調整可能としている、ことが望ましい。
【００２０】
このようにすれば、足の踵部分に装具を装着した場合であっても、装具を取り外した場合であっても、同様なフィット感が得られる。
【００２１】
請求項７に記載のように、さらに、足首を保持する中間ベルト部を備え、前記中間ベルト部は、前記左右の立ち上がり部のうち、一方の立ち上がり部の先端部分が他方の立ち上がりの部の先端部分の上側に重複するように前記一方の立ち上がり部が先端延長部を有し、他方の立ち上がり部に設けられる被係合具と、前記被係合具に係脱可能に係合し取付穴を有する係合具と、前記先端延長部付近の上側に設けられる第５の係止面ファスナと、一面側に前記第５の係止面ファスナと係脱可能に係合する第５の被係止面ファスナを、他面側であって前記第５の被係止面ファスナに対応する側の部分に第６の係止面ファスナが、その他の部分に第６の被係止面ファスナが設けられている中間ベルトとを備え、前記係合具の取付穴に前記中間ベルトが挿通され前記他面側が内側となるように折り曲げて前記第６の係止面ファスナと前記第６の被係止面ファスナとを係脱可能に結合することでベルト長さが調整可能となっている、ことが望ましい。
【００２２】
このようにすれば、足首も保持することができるので、より良好な装着感が得られる。
【考案の効果】
【００２３】
本考案は、甲部の幅の調整を行っても、結合手段と固定補強ベルトとによって二重に固定が補強されるので、良好な装着感が損なわれず、軽快な歩行を確保できる。また、第２の係止面ファスナと第２の被係止面ファスナとを係脱可能に係止しているので、第２の係止面ファスナと第２の被係止面ファスナとの係止位置を調整することで、ベルト長さを簡単に調整することができる。
【図面の簡単な説明】
【００２４】
【図１】本発明に係る履物の一実施の形態であるサンダルの斜視図である。
【図２】図１におけるＡ方向から見た斜視図である。
【図３】結合手段の説明図である。
【図４】固定補強ベルトを示すもので、（ａ）はベルト表側を示す図、（ｂ）はベルト裏側を示す図である。
【図５】固定補強ベルトの、前側ベルト部に対する係止を解除した状態を示す、図１と同様な図である。
【図６】履いた状態のままでの固定補強ベルトのベルト長さの調整の説明図である。
【図７】後側ベルトを示すもので、（ａ）はベルト表側を示す図、（ｂ）はベルト裏側を示す図である。
【図８】後側ベルトの係合具と被係合具との関係を示す図である。
【図９】被係止具の説明図である。
【図１０】履いた状態のままでの後側ベルトのベルト長さの調整の説明図である。
【図１１】装具を取り付けた場合の説明図である。
【図１２】別の実施の形態についての図２と同様の図である。
【図１３】前記別の実施の形態についての図１と同様の図である。
【図１４】中間ベルトを示すもので、（ａ）はベルト表側を示す図、（ｂ）はベルト裏側を示す図である。
【図１５】履いた状態のままでの中間ベルトのベルト長さの調整の説明図である。
【考案を実施するための形態】
【００２５】
以下、本考案の実施の形態を図面に沿って説明する。
【００２６】
図１は本発明に係る履物の一実施の形態であるサンダルの斜視図、図２は図１におけるＡ方向から見た斜視図である。
【００２７】
図１及び図２に示すように、履物であるサンダル１は、サンダル本体２と、サンダル本体２に設けられ足の甲を固定する前側ベルト部３と、足の踵を保持する後側ベルト部４とを備える。
【００２８】
前側ベルト部３は、内方側及び外方側の舌片状ベルト部１１Ａ，１１Ｂを備える。舌片状ベルト部１１Ａ，１１Ｂは、基端部がサンダル本体２の内方側及び外方側にそれぞれ固定され、上方に延びている。内方側の舌片状ベルト部１１Ａは、外方側の舌片状ベルト部１１Ｂよりも長く、先端部同士が、内方側の舌片状ベルト部１１Ａが上側になるように重ね合わされ、結合手段５を介してベルト長さ調整可能に結合されている。
【００２９】
結合手段５は、図３に示すように、内方側の舌片状ベルト部１１Ａの先端部の下側に長手方向に沿って延びるように第１の被係止面ファスナ１２と、外方側の舌片状ベルト部１１Ｂの先端部の上側に長手方向に沿って延び第１の被係止面ファスナ１２と係脱可能に係合する第１の係止面ファスナ１３とを備える。第１の被係止面ファスナ１２は、第１の係止面ファスナ１３より長く、足の甲の大きさに応じて、第１の被係止面ファスナ１２と第１の係止面ファスナ１３との係止位置を変えて、前側ベルト部３のベルト長さを調整できるようになっている。よって、両面ファスナ１２，１３の係止位置を変えることで、足の甲を締め付ける程度を調整することができる。
【００３０】
内方側の舌片状ベルト部１１Ａの基端部付近の上側に環状リング１４が取り付けられ、外方側の舌片状ベルト部１１Ｂの基端部付近の上側に、上面に第２の係止面ファスナー１５が長手方向に沿って取り付けられているベルト材１６が取り付けられている。
【００３１】
環状リング１４には、固定補強ベルト２１が挿通されて取り付けられている。固定補強ベルト２１は、図４（ａ）（ｂ）に示すように、伸ばした状態で、一面側（表側）には、一端部側に第２の被係止面ファスナ１５と係脱可能に係合する第１の係止面ファスナ２２が長手方向に沿って設けられている。他面側（裏側）であって第１の係止面ファスナ２２に対応する側（つまり前記一端部側）に第３の係止面ファスナ２３が部分的に長手方向に沿って設けられ、その他の部分にほぼ全域に亘って第３の被係止面ファスナ２４が設けられている。
【００３２】
この固定補強ベルト２１は、図５に示すように、環状リング１４に挿通された状態で前記他面側が内側となるように重ねて折り曲げ、第３の係止面ファスナ２３と第３の被係止面ファスナ２４とを係脱可能に係合することで、環状リング１４に取り付けられる。第３の被係止面ファスナ２４が長手方向に長く延びているので、第３の係止面ファスナ２３を係脱可能に係合させる位置を変えることで、環状リング１４から第２の被係止面ファスナ１５（つまり、重ねて折り曲げた状態の固定補強ベルト２１に長さに対応）までの長さを調整することができるようになっている。これによって、足の甲を締め付ける程度を調整でき、前側ベルト部３との協働作用によって、足の甲にしっかりとフィットさせて、固定することができる。また、サンダル１を履いている状態でも、図６に示すように、第３の係止面ファスナ２３と第３の被係止面ファスナ２４との係合を解除すれば、固定補強ベルト２１のベルト長さを変えることができ、フィット感の調整を容易に行うことができる。固定補強ベルト２１は、必要に応じて、０ｃｍ〜５ｃｍの範囲で長さを調整することができる。
【００３３】
また、内方側の舌片状ベルト部１１Ａの基端部後側に被係合具２５が取り付けられ、外方側の舌片状ベルト部１１Ｂの基端部後側に環状リング２６が取り付けられている。
【００３４】
図７に示すように、後側ベルト３１は、本体ベルト部３１ａと、本体部３１ａの裏面側に設けられる補強材３１ｂとを備える。本体ベルト部３１ａは、表面側において、外端部側にそれぞれ第４の被係止面ファスナ３２，３２が、第４の被係止面ファスナ３２と離れて中央側に第４の係止面ファスナ３３，３３が設けられている。
【００３５】
図８及び図９に示すように、本体ベルト部３１ａの一端部は、被係合具２５に係脱可能に係合する係合具３４の取付穴３４ａに挿通され、前記裏面側が内側にとなるように折り曲げて、第４の被係止面ファスナ３２と第４の係止面ファスナ３３とを係脱可能に係合することで、係合具３４が取り付けられる。一方、本体ベルト部３１ａの他端部は、環状リング２６に挿通され、前記裏面側が内側にとなるように折り曲げて、第４の被係止面ファスナ３２と第４の係止面ファスナ３３とを係脱可能に係合することで、環状リング２６に取り付けられる。
【００３６】
第４の被係止面ファスナ３２と第４の係止面ファスナ３３との係止位置は、ベルト長手方向において調整可能である。これにより、足の踵の大きさに応じて、ベルト長さを調整可能である。また、図１０に示すように、第４の係止面ファスナ３３と第４の被係止面ファスナ３２との係合を解除すれば、サンダル１を履いている状態でも、後側ベルト３１のベルト長さを変えることができ、フィット感の調整が可能となる。後側ベルト３１は＋１ｃｍ〜−１ｃｍの範囲でベルト長さを調整することができる。
【００３７】
このようにベルト長さを調整できるので、図１１に示すように、足Ｘに装具Ｙを装着した場合でもベルト長さを少し長くすることで、良好なしっかりとした装着感が得られる一方、装具Ｙを取り外した場合には、ベルト長さを短くして元に戻すことで、良好なしっかりとした装着感が得られる。
【００３８】
また、装具Ｙを装着する場合に限らず、サンダル１を履く場合には、甲高や足幅が広いなどの理由でサイズが合わない場合、左右の足でサイズが異なる場合、むくみ、浮腫、外反母趾、蒸れなどの症状でサイズが変化している場合、一時的に大きなサイズが欲しい場合などであっても、各ベルト部の長さを調整することができるので、足の状態にかかわりなく、装着感を高めることができる。よって、どんなサイズでも手軽に簡単にジャストフィットさせることができる。
【００３９】
前記実施の形態では、前側ベルト部３と、後側ベルト部４とを備えるものであるが、図１２〜図１５に示すように、さらに足首を保持する中間ベルト部６を備える構造とすることも可能である。
【００４０】
この場合、前側ベルト部３の少し離れた後側に、内方側と外方側の立ち上がり部４１Ａ，４１Ｂが設けられている。外方側の立ち上がり部４１Ｂは、内方側の立ち上がり部４１Ａよりも長く形成され、外方側の立ち上がり部４１Ｂの上側に、第５の係止面ファスナ４２が設けられている。内方側の立ち上がり部４１Ａの上側には被係合具４３が設けられている。
【００４１】
被係合具４３に係脱可能に係合する係合具４４は取付穴４４ａを有し、この取付穴４４ａに中間ベルト４５が挿通され、巻き付けて取り付けられている。
【００４２】
中間ベルト４５は、表面側に第５の係止面ファスナ４２と係脱可能に係合する第５の被係止面ファスナ４６を、裏面側であって第５の被係止面ファスナ４６に対応する側に第６の係止面ファスナ４７が、その他残りの部分に第６の被係止面ファスナ４８が設けられている。
【００４３】
そして、この中間ベルト４５は、係合具４４の取付穴４４ａに挿通され前記裏面側が内側となるように重ねて折り曲げて第６の係止面ファスナ４７と第６の被係止面ファスナ４８とを係脱可能に結合することで、係合具４４に取り付けられている。第６の係止面ファスナ４７と第６の被係止面ファスナ４８との係止位置を変えることで、係合具４４から第５の被係止面ファスナ４６までの長さ（ベルト長さ）が調整可能となっている。これにより、足首の大きさに応じて、中間ベルト４５の全体長さを調整可能である中間ベルト部６が構成されている。
【００４４】
前側ベルト部３Ａは、固定補強ベルト２１Ａが２本になる点を除き、前述した実施の形態と実質的に同一構造である。
【００４５】
また、後側ベルト部４Ａは、前述した実施の家板と、後側ベルト３１は同一であるが、それの各端部が各立ち上がり部４１Ａ，４１Ｂに設けられた被取付部３２Ａ，３２Ｂの開孔３２Ａａ，３２Ｂａのみ図示）に後側ベルト３３の端部がそれぞれ挿通され、巻き付けて取り付けられている点で異なっている。
【００４６】
前述した実施の形態は、すべての点で例示で、制限的なものではなく、実用新案登録請求の範囲に含まれる範囲で適宜変更して実施することができる。
【符号の説明】
【００４７】
１  サンダル
２  サンダル本体
３，３Ａ  前側ベルト部
４，４Ａ  後側ベルト部
５  結合手段
６  中間ベルト部
１１Ａ，１１Ｂ  舌片状ベルト部
１４，２６  環状リング
１２  第１の被係止面ファスナ
１３  第１の係止面ファスナ
１５  第２の係止面ファスナ
１６  ベルト材
２１  固定補強ベルト
２２  第２の被係止面ファスナ
２３  第３の係止面ファスナ
２４  第３の被係止面ファスナ
２５，４３  被係合具
３１  後側ベルト
３１ａ  本体ベルト部
３１Ａａ  先端延長部
３２  第４の被係止面ファスナ
３２Ａ，３２Ｂ  被取付部
３２Ａａ，３２Ｂａ  開孔
３３  第４の係止面ファスナ
３４，４４  係合具
３４ａ，４４ａ  取付穴
４１Ａ，４１Ｂ  立ち上がり部
４２  第５の係止面ファスナ
４５  中間ベルト
４６  第５の被係止面ファスナ
４７  第６の係止面ファスナ
４８  第６の被係止面ファスナ
【図１】
0003215008.tif 000003
【図２】
0003215008.tif 000004
【図３】
0003215008.tif 000005
【図４】
0003215008.tif 000006
【図５】
0003215008.tif 000007
【図６】
0003215008.tif 000008
【図７】
0003215008.tif 000009
【図８】
0003215008.tif 000010
【図９】
0003215008.tif 000011
【図１０】
0003215008.tif 000012
【図１１】
0003215008.tif 000013
【図１２】
0003215008.tif 000014
【図１３】
0003215008.tif 000015
【図１４】
0003215008.tif 000016
【図１５】
0003215008.tif 000017
【手続補正書】
【提出日】平成29年12月14日(2017.12.14)
【手続補正１】
【補正対象書類名】実用新案登録請求の範囲
【補正対象項目名】全文
【補正方法】変更
【補正の内容】
【実用新案登録請求の範囲】
【請求項１】
履物本体と、前記履物本体に設けられ足の甲を固定する前側ベルト部とを備え、前記前側ベルト部は、基端部が前記履物本体に取り付けられ先端部同士が結合手段にてベルト長さ調整可能に結合される左右の舌片状ベルト部を有する履物であって、
前記左右の舌片状ベルト部の一方の基端部付近の上側に取り付けられる環状リングと、
前記左右の舌片状ベルト部の他方の基端部付近の上側に長手方向に沿って取り付けられる第２の係止面ファスナと、
一面側に前記第２の係止面ファスナと係脱可能に係合する第２の被係止面ファスナが長手方向に沿って設けられ、他面側であって前記第２の被係止面ファスナに対応する側の部分に第３の係止面ファスナが、その他の部分に第３の被係止面ファスナが長手方向に沿って設けられている固定補強ベルトとを備え、
前記固定補強ベルトは、前記環状リングに挿通され前記他面側が内側となるように折り曲げて前記第３の係止面ファスナと前記第３の被係止面ファスナとを係脱可能に係止することでベルト長さ調整可能となっていることを特徴とする履物。
【請求項２】
前記結合手段は、前記左右の舌片状ベルト部の一方の先端部の上側または下側に長手方向に沿って取り付けられる第１の被係止面ファスナと、
前記左右の舌片状ベルト部の他方の先端部の下側または上側に長手方向に沿って取り付けられ前記第１の被係止面ファスナと係脱可能に係合する第１の係止面ファスナとを備え、
前記第１の係止面ファスナと前記第１の被係止面ファスナとを係脱可能に係止することでベルト長さ調整可能となっている、請求項１記載の履物。
【請求項３】
さらに、足の踵を保持する後側ベルト部を備え、前記後側ベルト部は、
前記左右の舌片状ベルト部の一方に設けられる被係合具と、
前記左右の舌片状ベルト部の他方に設けられる環状リングと、
前記被係合具と前記環状リングとの間に設けられベルト長さ調整可能である後側ベルトとを備える、請求項１または２記載の履物。
【請求項４】
前記後側ベルトは、表面側において、外端部側にそれぞれ第４の被係止面ファスナが、前記第４の被係止面ファスナと離れて中央側に第４の係止面ファスナが設けられ、
前記後側ベルトの一端部は、前記被係合具に係脱可能に係合する係合具の取付穴に挿通され、裏面側が内側にとなるように折り曲げて、前記第４の被係止面ファスナと第４の係止面ファスナとを係脱可能に係合することで、前記係合具に取り付けられる一方、他端部は、前記環状リングに挿通され、前記裏面側が内側にとなるように折り曲げて、前記第４の被係止面ファスナと前記第４の係止面ファスナとを係脱可能に係合することで、前記環状リングに取り付けられている、請求項３記載の履物。
【請求項５】
さらに、足の踵を保持する後側ベルト部を備え、前記後側ベルト部は、
前記前側ベルト部より後側に設けられる左右の立ち上がり部と、
前記各立ち上がり部に設けられ開孔を有する左右の被取付部と、
各端部が、前記被取付部の開孔に挿通され、巻き付けて前記各被取付部に取り付けられる後側ベルトとを備える、請求項１または２に記載の履物。
【請求項６】
前記後側ベルトは、表面側において、外端部側に第４の被係止面ファスナが、前記第４の被係止面ファスナと離れて中央側に第４の係止面ファスナがそれぞれ設けられ、
前記後側ベルトの各端部は、前記被取付部の開孔に挿通され裏面側が内側となるように折り曲げて前記第４の係止面ファスナと前記第４の被係止面ファスナとを係脱可能に結合することでベルト長さを調整可能としている、請求項５記載の履物。
【請求項７】
さらに、足首を保持する中間ベルト部を備え、前記中間ベルト部は、
前記左右の立ち上がり部のうち、一方の立ち上がり部の先端部分が他方の立ち上がりの部の先端部分の上側に重複するように前記一方の立ち上がり部が先端延長部を有し、
他方の立ち上がり部に設けられる被係合具と、
前記被係合具に係脱可能に係合し取付穴を有する係合具と、
前記先端延長部付近の上側に設けられる第５の係止面ファスナと、
一面側に前記第５の係止面ファスナと係脱可能に係合する第５の被係止面ファスナを、他面側であって前記第５の被係止面ファスナに対応する側の部分に第６の係止面ファスナが、その他の部分に第６の被係止面ファスナが設けられている中間ベルトとを備え、
前記係合具の取付穴に前記中間ベルトが挿通され前記他面側が内側となるように折り曲げて前記第６の係止面ファスナと前記第６の被係止面ファスナとを係脱可能に結合することでベルト長さが調整可能となっている、請求項５または６記載の履物。
【手続補正２】
【補正対象書類名】明細書
【補正対象項目名】０００９
【補正方法】変更
【補正の内容】
【０００９】
請求項１の考案は、履物本体と、前記履物本体に設けられ足の甲を固定する前側ベルト部とを備え、前記前側ベルト部は、基端部が前記履物本体に取り付けられ先端部同士が結合手段にてベルト長さ調整可能に結合される左右の舌片状ベルト部を有する履物であって、前記左右の舌片状ベルト部の一方の基端部付近の上側に取り付けられる環状リングと、前記左右の舌片状ベルト部の他方の基端部付近の上側に長手方向に沿って取り付けられる第２の係止面ファスナと、一面側に前記第２の係止面ファスナと係脱可能に係合する第２の被係止面ファスナが長手方向に沿って設けられ、他面側であって前記第２の被係止面ファスナに対応する側の部分に第３の係止面ファスナが、その他の部分に第３の被係止面ファスナが長手方向に沿って設けられている固定補強ベルトとを備え、前記固定補強ベルトは、前記環状リングに挿通され前記他面側が内側となるように折り曲げて前記第３の係止面ファスナと前記第３の被係止面ファスナとを係脱可能に係止することでベルト長さ調整可能となっていることを特徴とする。
【手続補正３】
【補正対象書類名】明細書
【補正対象項目名】００１１
【補正方法】変更
【補正の内容】
【００１１】
請求項２に記載のように、前記結合手段は、前記左右の舌片状ベルト部の一方の先端部の上側または下側に長手方向に沿って取り付けられる第１の被係止面ファスナと、
前記左右の舌片状ベルト部の他方の先端部の下側または上側に長手方向に沿って取り付けられ前記第１の被係止面ファスナと係脱可能に係合する第１の係止面ファスナとを備え、
前記第１の係止面ファスナと前記第１の被係止面ファスナとを係脱可能に係止することでベルト長さ調整可能となっている
、ことが望ましい。
【手続補正４】
【補正対象書類名】明細書
【補正対象項目名】００１２
【補正方法】変更
【補正の内容】
【００１２】
このようにすれば、第１の係止面ファスナと第１の被係止面ファスナとの係止位置を調整することで、前側ベルト部におけるベルト長さの調整を容易に行える。